(57)【要約】【課題】演奏の際に、良好な外観を確保しながら、演奏者が安定した状態で座ることができるとともに、運搬の際に、容易に移動させることができる楽器用椅子を提供する。【解決手段】楽器の演奏時に演奏者が座るための楽器用椅子１であって、座部２と、この座部２から下方に延びる複数の脚部３と、複数の脚部３の下端部にそれぞれ設けられ、下面が開放する複数のキャスタ収容部８と、複数の脚部３の下端部にそれぞれ設けられ、各々が、対応する脚部３に対し、キャスタ収容部８に収容される収容位置と、キャスタ収容部８の下面よりも下方に突出する突出位置との間で出没自在の複数のキャスタ４と、を備えている。【選択図】図１
2010104420.tif 000002
【特許請求の範囲】
【請求項１】
楽器の演奏時に演奏者が座るための楽器用椅子であって、
座部と、
この座部から下方に延びる複数の脚部と、
当該複数の脚部の下端部にそれぞれ設けられ、下面が開放する複数のキャスタ収容部と、
前記複数の脚部の下端部にそれぞれ設けられ、各々が、対応する当該脚部に対し、前記キャスタ収容部に収容される収容位置と、当該キャスタ収容部の下面よりも下方に突出する突出位置との間で出没自在の複数のキャスタと、
を備えていることを特徴とする楽器用椅子。
【請求項２】
前記複数のキャスタ収容部の内側にそれぞれ設けられ、各々が、対応する当該キャスタ収容部に収容される前記キャスタを、前記突出位置側に付勢する複数の弾性部材を、さらに備えており、
当該複数の弾性部材の各々は、前記楽器用椅子が床面に置かれた状態において、前記座部に上方から所定の大きさ以上の外力が作用するときに、前記床面からの反力による前記キャスタの前記収容位置への移動を許容するとともに、前記座部に上方からの外力が作用していないときに、前記キャスタを前記突出位置に保持する弾性力を有していることを特徴とする請求項１に記載の楽器用椅子。
【請求項３】
前記複数のキャスタ収容部にそれぞれ設けられ、各々が、対応する当該キャスタ収容部に収容される前記キャスタを、前記突出位置にロックする複数の第１ロック機構を、さらに備えていることを特徴とする請求項２に記載の楽器用椅子。
【請求項４】
前記複数のキャスタ収容部にそれぞれ設けられ、各々が、対応する当該キャスタ収容部に収容される前記キャスタを、前記収容位置にロックする複数の第２ロック機構と、
前記複数のキャスタ収容部にそれぞれ設けられ、各々が、外部から操作可能に構成されるとともに、対応する前記第２ロック機構による前記ロックを解除するための複数のロック解除部と、
をさらに備えていることを特徴とする請求項３に記載の楽器用椅子。
【請求項５】
前記複数のキャスタ収容部の内側にそれぞれ設けられ、各々が、対応する当該キャスタ収容部に収容される前記キャスタが前記収容位置に位置するときに、当該キャスタに圧接することにより、当該キャスタの振動を阻止する複数の振動阻止部を、さらに備えていることを特徴とする請求項１ないし４のいずれかに記載の楽器用椅子。
【発明の詳細な説明】
【技術分野】
【０００１】
本発明は、ピアノなどの楽器の演奏時に演奏者が座るための楽器用椅子に関する。
【背景技術】
【０００２】
一般に、ピアノを演奏する際に使用されるピアノ椅子は、演奏者が腰掛けるための座部と、座部の下面の四隅から下方に延びる４つの脚部とを備えている。ピアノ椅子は通常、座部の上面である座面の高さを調整可能に構成され、そのための調整機構が組み込まれており、また、きしみなどによるノイズが演奏中に発生しないよう、重厚に作られている。このようなピアノ椅子は、調整機構が組み込まれるとともに重厚に作られているために、重量が比較的重い（例えば１０〜２０ｋｇ）。そのため、例えば、演奏前にピアノ椅子を保管スペースなどからピアノの前まで移動させたり、演奏後にピアノ椅子を保管スペースに戻したりするなど、ピアノ椅子を持って運搬する際に、比較的大きな労力が必要となる。特に、女性や子供など、力の弱い者にとっては、ピアノ椅子を持ち運ぶ際の負担が大きい。
【０００３】
上記のようなピアノ椅子の運搬の際の労力を軽減するために、例えば、特許文献１に開示されたピアノ椅子のように、脚部の下端部にキャスタを設けることが考えられる。この場合には、キャスタ付きのピアノ椅子を運搬する際に、それを床面に置いた状態のまま、横から押すことなどによって、ピアノ椅子を簡単に移動させることが可能である。
【０００４】
しかし、キャスタ付きのピアノ椅子に座って演奏する場合、演奏者の動作によっては、ピアノ椅子が動いてしまうことがある。この場合、ピアノ椅子に座った演奏者は、下半身が不安定な状態で演奏することになる。また、上記のキャスタ付きのピアノ椅子では、キャスタが外部に露出しているため、そのピアノ椅子の見栄えや外観が、キャスタの無い一般的なものに比べて悪く、したがって、キャスタ付きのピアノ椅子は、コンサートなどでの使用には適さない。以上のような問題が生じるのは、ピアノ以外の楽器の演奏時に使用される他の楽器用椅子についても同様である。
【０００５】
本発明は、以上のような課題を解決するためになされたものであり、演奏の際に、良好な外観を確保しながら、演奏者が安定した状態で座ることができるとともに、運搬の際に、容易に移動させることができる楽器用椅子を提供することを目的とする。
【０００６】
【特許文献１】特開２００５−４０５５２号公報
【発明の開示】
【課題を解決するための手段】
【０００７】
上記の目的を達成するために、請求項１に係る発明は、楽器の演奏時に演奏者が座るための楽器用椅子であって、座部と、この座部から下方に延びる複数の脚部と、複数の脚部の下端部にそれぞれ設けられ、下面が開放する複数のキャスタ収容部と、複数の脚部の下端部にそれぞれ設けられ、各々が、対応する脚部に対し、キャスタ収容部に収容される収容位置と、キャスタ収容部の下面よりも下方に突出する突出位置との間で出没自在の複数のキャスタと、を備えていることを特徴とする。
【０００８】
この構成によれば、座部から下方に延びる複数の脚部の下端部にはそれぞれ、複数のキャスタ収容部が設けられており、各キャスタ収容部の下面が開放している。また、複数の脚部の下端部にはそれぞれ、複数のキャスタが設けられており、各キャスタが、対応する脚部に対し、キャスタ収容部に収容される収容位置と、キャスタ収容部の下面よりも下方に突出する突出位置との間で出没自在に構成されている。床面などに置かれた楽器用椅子に座って演奏する際に、各キャスタを収容位置に位置させることにより、そのキャスタは、キャスタ収容部に覆われることによって、外部に露出することがなくなるとともに、各脚部の下面、すなわち各キャスタ収容部の下面周縁部が、床面に接した状態となる。これにより、演奏の際には、楽器用椅子の良好な外観を確保しながら、演奏者が座部に腰掛け、楽器用椅子に安定した状態で座ることができる。一方、演奏の前後などにおいて楽器用椅子を運搬する際に、各キャスタを突出位置に位置させることにより、各キャスタが床面に接した状態となる。これにより、楽器用椅子の運搬の際には、それを持ち上げることなく、床面に置いた状態のまま、横から押すことなどにより、キャスタを利用しながら、楽器用椅子を容易に移動させることができる。
【０００９】
請求項２に係る発明は、請求項１に記載の楽器用椅子において、複数のキャスタ収容部の内側にそれぞれ設けられ、各々が、対応するキャスタ収容部に収容されるキャスタを、突出位置側に付勢する複数の弾性部材を、さらに備えており、複数の弾性部材の各々は、楽器用椅子が床面に置かれた状態において、座部に上方から所定の大きさ以上の外力が作用するときに、床面からの反力によるキャスタの収容位置への移動を許容するとともに、座部に上方からの外力が作用していないときに、キャスタを突出位置に保持する弾性力を有していることを特徴とする。
【００１０】
この構成によれば、複数のキャスタ収容部の内側にはそれぞれ、キャスタを突出位置側に付勢する複数の弾性部材が設けられている。各弾性部材は、所定の弾性力を有しており、具体的には、楽器用椅子が床面に置かれた状態において、座部に上方から所定の大きさ以上の外力が作用するときに、床面からの反力によるキャスタの収容位置への移動を許容するとともに、座部に上方からの外力が作用していないときに、キャスタを突出位置に保持する弾性力を有している。これにより、例えば、演奏者が座部に腰掛けることにより、上記の所定の大きさ以上の外力が座部に上方から作用するときには、キャスタがいずれも、床面からの反力によって収容位置側に押圧されることで、キャスタ収容部に収容され、各キャスタ収容部の下面周縁部が床面に当接する。このように、演奏者が座部に腰掛けるだけで、前述した請求項１における演奏の際の作用効果、すなわち、楽器用椅子の良好な外観を確保しながら、演奏者が楽器用椅子に安定した状態で座ることができる。一方、例えば、演奏者が座部に腰掛けていない場合など、座部に上方からの外力が作用していないときには、キャスタがいずれも、弾性部材の弾性力によって、キャスタ収容部から下方に押し出され、突出位置に保持される。その結果、各キャスタが床面に接し、かつキャスタ収容部の下面周縁部が床面から浮いた状態となる。これにより、前述したように、キャスタを利用しながら、楽器用椅子を容易に移動させることができる。
【００１１】
請求項３に係る発明は、請求項２に記載の楽器用椅子において、複数のキャスタ収容部にそれぞれ設けられ、各々が、対応するキャスタ収容部に収容されるキャスタを、突出位置にロックする複数の第１ロック機構を、さらに備えていることを特徴とする。
【００１２】
この構成によれば、複数のキャスタ収容部にはそれぞれ、複数の第１ロック機構が設けられており、各第１ロック機構が、対応するキャスタ収容部に収容されるキャスタを、突出位置にロックする。これにより、各キャスタは、対応する脚部やキャスタ収容部に対し、下方に突出した状態で、上下方向に不動に固定される。したがって、楽器用椅子の運搬の際には、楽器用椅子本体が移動中に上下に振動することなく、その移動を安定して行うことができる。
【００１３】
請求項４に係る発明は、請求項３に記載の楽器用椅子において、複数のキャスタ収容部にそれぞれ設けられ、各々が、対応するキャスタ収容部に収容されるキャスタを、収容位置にロックする複数の第２ロック機構と、複数のキャスタ収容部にそれぞれ設けられ、各々が、外部から操作可能に構成されるとともに、対応する第２ロック機構によるロックを解除するための複数のロック解除部と、をさらに備えていることを特徴とする。
【００１４】
この構成によれば、複数のキャスタ収容部にはそれぞれ、複数の第２ロック機構が設けられており、各第２ロック機構が、対応するキャスタ収容部に収容されるキャスタを、収容位置にロックする。これにより、各キャスタは、対応するキャスタ収容部に収容された状態に固定される。この状態における楽器用椅子は、キャスタが無いものと同様であり、したがって、キャスタの無い楽器用椅子と同様の取り扱いを行うことができる。また、複数のキャスタ収容部にはそれぞれ、複数のロック解除部が設けられており、各ロック解除部を操作することにより、対応する第２ロック機構によるキャスタのロックが解除される。各ロック解除部は、外部から操作可能に構成されているので、外部からの操作により、各第２ロック機構によるキャスタのロックを簡単に解除でき、キャスタを脚部から突出させることができる。
【００１５】
請求項５に係る発明は、請求項１ないし４のいずれかに記載の楽器用椅子において、複数のキャスタ収容部の内側にそれぞれ設けられ、各々が、対応するキャスタ収容部に収容されるキャスタが収容位置に位置するときに、キャスタに圧接することにより、キャスタの振動を阻止する複数の振動阻止部を、さらに備えていることを特徴とする。
【００１６】
この構成によれば、複数のキャスタ収容部の内側にはそれぞれ、キャスタの振動を阻止するための複数の振動阻止部が設けられている。各振動阻止部は、対応するキャスタ収容部に収容されるキャスタが収容位置に位置するときに、そのキャスタに圧接し、それにより、そのキャスタの振動を阻止する。これにより、演奏時に、例えば、演奏によって発生した楽音の周波数がキャスタの固有振動数に一致した場合でも、楽音によるキャスタの共振（共鳴）を防止することができる。
【発明を実施するための最良の形態】
【００１７】
以下、図面を参照しながら、本発明の好ましい実施形態を詳細に説明する。図１は、本発明の第１実施形態による楽器用椅子を適用したピアノ椅子を示している。このピアノ椅子１は、ピアノの演奏時に演奏者が座るためのものであり、演奏者が腰掛けるための座部２と、この座部２の下面から下方に延びる４つの脚部３と、これらの脚部３の下端部にそれぞれ設けられ、各々が、対応する脚部３に対して出没自在の４つのキャスタ４とを備えている。
【００１８】
座部２は、平面形状が横長矩形のボックス状のベース５と、このベース５の上側に配置され、ベース５と同じ平面形状を有するクッション６とを有している。ベース５には、座部２の上面である座面の高さを調整するための調整機構（図示せず）が内蔵されている。この調整機構は、Ｘリンクなどで構成された一般的なものであり、これを操作するための回転式の２つのハンドル７（図１では１つのみ図示）が、座部２の左右両側に設けられている。したがって、両ハンドル７を回し、クッション６を昇降させることにより、座部２の座面の高さを容易に調整することができる。
【００１９】
４つの脚部３は、互いに同じものであり、ベース５の底面の四隅から下方に所定長さ、延びている。各脚部３の下端部には、下面が開放する筒状のキャスタ収容部８が設けられている。そして、各脚部３に対応するキャスタ４は、全体がキャスタ収容部８に収容される収容位置（図１（ａ）に示す位置）と、下部がキャスタ収容部８の下面よりも下方に突出する突出位置（図１（ｂ）に示す位置）との間で、出没自在になっている。なお、キャスタ４を含む４つの脚部３は、互いに構成が同じであるので、以下の説明では、１つの脚部３を代表して説明するものとする。
【００２０】
図２は、キャスタ４を中心とする、脚部３の下端部の内部構造を示す拡大図であり、キャスタ４が突出位置に位置する状態を示している。同図に示すように、脚部３の下端部に設けられたキャスタ収容部８は、所定の高さおよび厚さを有し、上下方向に延びる筒状に形成されている。
【００２１】
キャスタ４は、キャスタ収容部８内の水平方向の最小長さよりも短い所定の径および厚さを有するホイール１１と、このホイール１１の中心を貫通する水平な支軸１２を介して、ホイール１１を回転自在に支持する逆Ｕ字状のホイールホルダ１３とで構成されている。そして、このキャスタ４は、キャスタ収容部８内のスライダ１４の下側に、連結軸１５を介して連結されている。
【００２２】
スライダ１４は、所定の厚さを有するとともに、平面形状が、キャスタ収容部８内の横断面と同じで、かつ、その横断面よりも一回り小さいブロック状に形成されている。また、このスライダ１４は、キャスタ収容部８内において、その内面に沿って上下方向にスライド自在になっている。連結軸１５は、上下方向に延びており、その上部がスライダ１４の下面中央部に固定される一方、下部がキャスタ４のホイールホルダ１３に回転自在に連結されている。これにより、キャスタ４は、連結軸１５を中心として回転自在になっている。
【００２３】
さらに、スライダ１４とキャスタ収容部８の天井面８ａとの間には、コイルばねから成るキャスタばね１６（弾性部材）が設けられている。このキャスタばね１６は、キャスタ４を突出位置側に付勢するものであり、次のような弾性力を有している。すなわち、キャスタばね１６は、ピアノ椅子１の座部２に上方からの外力が作用していないときには、図２に示すように、キャスタ４を突出位置に保持するような弾性力を有している。また、キャスタばね１６は、図３に示すように、座部２に上方から所定の大きさ以上の外力Ａが作用するときに、床面Ｆからの反力Ｒによるキャスタ４の収容位置への移動を許容する弾性力を有している。
【００２４】
また、キャスタ収容部８の内周面８ｂの所定位置には、キャスタ４の振動を阻止するための振動阻止部材１７が取り付けられている。この振動阻止部材１７は、所定の厚さを有するスキンやフェルトなどで構成されており、キャスタ収容部８の内周面８ｂの全周にわたって接着されている。そして、この振動阻止部材１７は、図３（ｂ）に示すように、キャスタ４が収容位置に位置するときに、そのホイール１１に圧接する。
【００２５】
以上説明したように、本実施形態のピアノ椅子１によれば、例えば、演奏者が座部２に腰掛けることにより、各脚部３に上方から作用する外力Ａが、前記所定の大きさ以上であるときには、図１および図３に示すように、キャスタ４がいずれも、床面Ｆからの反力Ｒによって収容位置側に押圧されることで、キャスタ収容部８に収容される。その結果、各キャスタ４が、キャスタ収容部８に覆われることによって、外部に露出することがなくなるとともに、各脚部３のキャスタ収容部８の下面周縁部が床面Ｆに当接する。このように、演奏者が座部２に腰掛けるだけで、ピアノ椅子１の良好な外観を確保しながら、演奏者がピアノ椅子１に安定した状態で座ることができる。またこの場合、各キャスタ収容部８内の振動阻止部材１７が、キャスタ４のホイール１１に圧接する。これにより、ピアノの演奏時に、演奏によって発生した楽音の周波数が、キャスタ４（ホイール１１など）の固有振動数に一致した場合でも、楽音によるキャスタ４の共振（共鳴）を防止することができる。
【００２６】
一方、例えば、演奏者が座部２に腰掛けていない場合など、座部２に上方からの外力が作用していないときには、キャスタ４がいずれも、キャスタばね１６の弾性力によって、キャスタ収容部８から下方に押し出され、突出位置に保持される。その結果、各キャスタ４が床面Ｆに接し、かつキャスタ収容部８の下面周縁部が床面Ｆから浮いた状態となる。これにより、ピアノ椅子１の運搬の際には、それを持ち上げることなく、床面Ｆに置いた状態のまま、横から押すことなどにより、キャスタ４を利用しながら、ピアノ椅子１を容易に移動させることができる。
【００２７】
次に、図４を参照して、本発明の第２実施形態について説明する。本実施形態のピアノ椅子では、上述した第１実施形態と同様、各キャスタ４が、対応する脚部３に対し、突出位置と収容位置の間で出没自在であり、突出位置にロック可能に構成されている。なお、以下の説明では、上述した第１実施形態のピアノ椅子１と同じ構成部品については同じ符号を付して、その詳細な説明を省略し、第１実施形態との差異を中心に説明するものとする。
【００２８】
図４（ａ）に示すように、本実施形態のピアノ椅子１は、４つの脚部３にそれぞれ設けられ、対応するキャスタ４を突出位置にロックする４つのロック機構２１（第１ロック機構）を備えている。各ロック機構２１は、スライダ１４に設けられ、その側面に対して水平に出没自在のロック部材２２と、コイルばねから成り、ロック部材２２をスライダ１４から外方に突出する方向に付勢するロックばね２３で構成されている。スライダ１４には、側方に開口し、所定の深さを有するロック部材収容凹部１４ａが設けられており、このロック部材収容凹部１４ａに、ロック部材２２が出没自在に収容されている。
【００２９】
図４（ｃ）に示すように、ロック部材２２は、ロック部材収容凹部１４ａに沿って延び、先端部（図４の右端部）が外方に凸に湾曲するように形成されている。また、ロックばね２３は、ロック部材収容凹部１４ａに内蔵されており、上述したように、ロック部材２２を、常時、突出する方向に付勢している。
【００３０】
一方、キャスタ収容部８の内側面８ｂの所定位置には、ロック機構２１のロック部材２２が係合可能なロック凹部２４が設けられている。このロック凹部２４は、内方に開口し、ロック部材２２の先端部と相補的な形状を有している。
【００３１】
なお、図示は省略するが、ピアノ椅子１の各脚部３には、キャスタ収容部８の内側面８ｂの所定位置に、第１実施形態と同様の振動阻止部材１７が取り付けられている。
【００３２】
以上のように構成されたロック機構２１およびロック凹部２４において、図４（ａ）および（ｃ）に示すように、ロック部材２２の先端部が、ロック凹部２４に嵌合した状態に係合することにより、脚部３のキャスタ収容部８に対し、スライダ１４が上下方向に不動にロックされる。これにより、キャスタ４が、突出位置にロックされる。
【００３３】
一方、キャスタ４が突出位置にロックされた状態において、演奏者が座部２に腰掛けるなど、座部２に上方から所定の大きさ以上の外力を作用させることにより、その外力の分力が、ロック凹部２４側からロック部材２２に作用する。これにより、ロック部材２２は、ロックばね２３の付勢力に抗して、ロック部材収容凹部１４ａの内方に押圧され、ロック凹部２４との係合が解除される。その結果、キャスタ４は、突出位置におけるロックが解除され、図４（ｂ）に示すように、収容位置への移動が許容される。
【００３４】
なお、各脚部３には、キャスタ収容部８の内側面８ｂの所定位置に、ストッパ２５が突設されている。このストッパ２５は、キャスタ４が突出位置に位置するときに、スライダ１４が上方から当接するように構成されている。したがって、収容位置に位置するキャスタ４を突出位置に移動させる際に、例えば、脚部３を床面Ｆから浮かせることによって、キャスタ４が、キャスタばね１６の付勢力によって勢い良く、突出位置側に移動する場合でも、スライダ１４がストッパ２５で止められ、それにより、ロック機構２１のロック部材２２の高さが、ロック凹部２４のそれに合致し、ロック部材２２がロック凹部２４に嵌合する。その結果、ロック機構２１により、キャスタ４が突出位置に確実にロックされる。
【００３５】
以上のように、本実施形態によれば、上述した第１実施形態と同様の作用効果を得ることができ、加えて、キャスタ４を突出位置にロックすることができる。このように、キャスタ４を突出位置にロックできることにより、ピアノ椅子１の運搬の際には、ピアノ椅子１本体が移動中に上下に振動することなく、その移動を安定して行うことができる。
【００３６】
次に、図５〜図７を参照して、本発明の第３実施形態について説明する。本実施形態のピアノ椅子では、上述した第１実施形態と同様、各キャスタ４が、対応する脚部３に対し、突出位置と収容位置の間で出没自在であるとともに、第２実施形態と同様、各キャスタ４が突出位置にロック可能であり、加えて、収容位置にもロック可能に構成されている。なお、以下の説明では、上述した第１および第２実施形態のピアノ椅子１と同じ構成部品については同じ符号を付して、その詳細な説明を省略し、第１および第２実施形態との差異を中心に説明するものとする。
【００３７】
図５および図６に示すように、本実施形態のピアノ椅子１は、４つの脚部３にそれぞれ設けられ、対応するキャスタ４を、突出位置および収容位置の一方にロックする４つのロック機構３１（第１および第２ロック機構）と、収容位置におけるキャスタ４のロックを解除するための４つのロック解除スイッチ３２（ロック解除部）とを備えている。各ロック機構３１は、第２実施形態のロック機構２１と同様、ロック部材２２およびロックばね２３で構成されている。また、キャスタ収容部８には、第２実施形態のロック凹部２４が設けられるとともに、その上方の所定位置に、ロック機構３１のロック部材２２が係合可能なロック孔３３が設けられている。
【００３８】
図６に示すように、ロック解除スイッチ３２は、キャスタ収容部８の外側に、上下方向に延びるように設けられ、その中央部の支点３４ａを中心として揺動自在のスイッチ本体３４と、スイッチ本体３４を後述するロック位置側に付勢するスイッチばね３５などで構成されている。スイッチ本体３４の裏面上部には、キャスタ収容部８のロック孔３３内に突出するロック解除凸部３４ｂが設けられている。そして、スイッチ本体３４は、支点３４ａを中心として、ロック解除凸部３４ｂがキャスタ収容部８の内側面８ｂに到達するロック解除位置（図７（ｂ）および（ｃ）参照）と、ロック解除凸部３４ｂが内側面８ｂから離れるロック位置（図６、図７（ａ）および（ｄ）参照）との間で揺動自在に構成されている。
【００３９】
以上のように構成されたロック機構３１およびロック孔３３において、図６に示すように、ロック部材２２の先端部が、ロック孔３３に嵌入した状態に係合することにより、脚部３のキャスタ収容部８に対し、スライダ１４が上下方向に不動にロックされる。これにより、キャスタ４が、収容位置にロックされる。
【００４０】
ここで、図７を参照して、収容位置にロックされているキャスタ４のロック解除の手順を簡単に説明する。同図（ａ）は、キャスタ４が収容位置にロックされるとともに、ピアノ椅子１が床面Ｆに置かれた状態を示している。この状態からまず、１つまたは２つの脚部３を、手で持ち上げ、同図（ｂ）に示すように、床面Ｆから浮かし、ロック解除スイッチ３２のスイッチ本体３４を白抜き矢印の方向に押す。これにより、ロック機構３１のロック部材２２が、ロック孔３３から抜けることによって、収容位置におけるキャスタ４のロックが解除される。そして、このキャスタ４は、キャスタばね１６の復元力により、スライダ１４とともに、突出位置側に移動する。
【００４１】
図７（ｃ）に示すように、スライダ１４がストッパ２５に当接することにより、キャスタ４が突出位置に到達すると、ロック機構３１のロック部材２２が、キャスタ収容部８のロック凹部２４に嵌合する。これにより、キャスタ４が、突出位置にロックされる。そして、キャスタ４を突出させた脚部３から手を離すことにより、同図（ｄ）に示すように、そのキャスタ４が床面Ｆに載置される。その後、収容位置にロックされている、他の脚部３のキャスタ４も同様にしてロックを解除する。
【００４２】
以上のように、本実施形態によれば、前述した第１および第２実施形態と同様の作用効果を得ることができ、加えて、キャスタ４を収容位置にロックすることができる。このように、キャスタ４を収容位置にロックした状態では、ピアノ椅子１は、キャスタ４が無いものと同様であり、したがって、キャスタの無いピアノ椅子と同様の取り扱いを行うことができる。また、各脚部３のキャスタ収容部８の外側に、ロック解除スイッチ３２が設けられているので、これを操作することにより、ロック機構３１によって収容位置にロックされているキャスタ４のロックを簡単に解除でき、キャスタ４を脚部３から突出させることができる。
【００４３】
なお、本発明は、説明した各実施形態に限定されることなく、種々の態様で実施することができる。実施形態ではいずれも、本発明の楽器用椅子をピアノ椅子に適用した場合について説明したが、本発明はこれに限定されるものではなく、ピアノ以外の楽器を演奏する楽器用椅子に適用できることはもちろんである。
【００４４】
また、実施形態で示したピアノ椅子１やキャスタ４、ロック機構２１、３１の細部の構成などは、あくまで例示であり、本発明の趣旨の範囲内で適宜、変更することができる。例えば、実施形態では、キャスタばね１６、ロックばね２３およびスイッチばね３５として、コイルばねを採用したが、同様の機能を有するものであれば、他の弾性部材、例えば板ばねなどの他の種類のばねや、所定の弾性力を有するゴムなどを採用してもよい。
【図面の簡単な説明】
【００４５】
【図１】本発明の第１実施形態による楽器用椅子を適用したピアノ椅子を示す斜視図であり、（ａ）は、キャスタが脚部に収容された状態、（ｂ）は、キャスタが脚部から突出した状態を示す。
【図２】脚部から突出したキャスタおよびその周囲を拡大して示す図であり、（ａ）は、キャスタの支軸と直交する方向から見たときの状態、（ｂ）は、支軸の長さ方向から見たときの状態を示す。
【図３】（ａ）および（ｂ）はそれぞれ、図２の（ａ）および（ｂ）に対応し、脚部に収容されたキャスタおよびその周囲を拡大して示す図である。
【図４】本発明の第２実施形態による楽器用椅子を適用したピアノ椅子の脚部の下端部の内部を拡大して示す図であり、（ａ）は、キャスタが突出位置にロックされた状態、（ｂ）は、キャスタが収容位置に位置する状態、（ｃ）は、（ａ）の一点鎖線円の内側を拡大して示す。
【図５】本発明の第３実施形態による楽器用椅子を適用したピアノ椅子を示す斜視図であり、（ａ）は、キャスタが脚部に収容された状態、（ｂ）は、キャスタが脚部から突出した状態を示す。
【図６】図５（ａ）のピアノ椅子の脚部の下端部の内部を拡大して示す図であり、キャスタが収容位置にロックされた状態を示す。
【図７】図５のピアノ椅子のキャスタを脚部から突出させる際の操作を順に示す説明図である。
【符号の説明】
【００４６】
１  ピアノ椅子
２  座部
３  脚部
４  キャスタ
８  キャスタ収容部
１６  キャスタばね（弾性部材）
１７  振動阻止部材
２１  ロック機構（第１ロック機構）
３１  ロック機構（第１および第２ロック機構）
３２  ロック解除スイッチ（ロック解除部）
Ｆ  床面
Ａ  外力
Ｒ  反力
【図１】
2010104420.tif 000003
【図２】
2010104420.tif 000004
【図３】
2010104420.tif 000005
【図４】
2010104420.tif 000006
【図５】
2010104420.tif 000007
【図６】
2010104420.tif 000008
【図７】
2010104420.tif 000009